(57)【特許請求の範囲】
【請求項１】
建物の基礎を貫通する配管の施工に用いられる基礎貫通用鞘管であって、
上開口を有する縦鞘管部と横開口を有する横鞘管部とを備える鞘管本体、および
前記鞘管本体と一体成形され、前記上開口を覆うように当該上開口の周縁を連結させるドーム状の上開口補強部を備える、基礎貫通用鞘管。
【請求項２】
前記上開口補強部に設けられ、当該基礎貫通用鞘管を立上り基礎または立上り基礎の基礎型枠に仮固定するための保持部材が取り付けられる保持部材取付部を備える、請求項１記載の基礎貫通用鞘管。
【請求項３】
前記上開口補強部の上面は、水平面を有する、請求項１または２記載の基礎貫通用鞘管。
【請求項４】
前記鞘管本体と一体成形され、前記横開口を覆うように当該横開口の周縁を連結させる横開口補強部を備える、請求項１ないし３のいずれかに記載の基礎貫通用鞘管。
【請求項５】
建物の基礎を貫通する配管を施工する管路施工方法であって、
（ａ）上開口を有する縦鞘管部と横開口を有する横鞘管部とを備える鞘管本体と、前記上開口を覆うように当該上開口の周縁を連結させる上開口補強部とを備える基礎貫通用鞘管を用意するステップ、
（ｂ）立上り基礎のボイド孔に対して前記鞘管本体の横鞘管部を嵌め込み、前記上開口が土間コンクリートの屋内側となる位置に配置されるように前記基礎貫通用鞘管を設置するステップ、
（ｃ）前記ステップ（ｂ）で前記基礎貫通用鞘管を設置した後に、前記上開口補強部が前記土間コンクリートの上面から突出するように当該土間コンクリートを打設し、前記基礎貫通用鞘管を埋設固定するステップ、
（ｄ）前記ステップ（ｃ）で前記基礎貫通用鞘管を埋設固定した後に、前記鞘管本体から前記上開口補強部を切断するステップ、および
（ｅ）前記ステップ（ｄ）で前記上開口補強部を切断した後に、前記基礎貫通用鞘管内を通って前記土間コンクリートの屋内側から前記立上り基礎の屋外側まで延びる前記配管を設置するステップを含む、管路施工方法。
【請求項６】
建物の基礎を貫通する配管を施工する管路施工方法であって、
（ａ）内部に鉄筋が配置された基礎型枠を設置するステップ、
（ｂ）上開口を有する縦鞘管部と横開口を有する横鞘管部とを備える鞘管本体と、前記上開口を覆うように当該上開口の周縁を連結させる上開口補強部とを備える基礎貫通用鞘管を用意するステップ、
（ｃ）前記上開口がコンクリート基礎の屋内側となる位置に配置され、前記横開口が前記コンクリート基礎の屋外側となる位置に配置されるように、前記鉄筋間を通して前記基礎貫通用鞘管を設置するステップ、
（ｄ）前記ステップ（ｃ）で前記基礎貫通用鞘管を設置した後に、前記上開口補強部が前記コンクリート基礎の上面から突出するように当該コンクリート基礎を打設し、前記基礎貫通用鞘管を埋設固定するステップ、
（ｅ）前記ステップ（ｄ）で前記基礎貫通用鞘管を埋設固定した後に、前記鞘管本体から前記上開口補強部を切断するステップ、および
（ｆ）前記ステップ（ｅ）で前記上開口補強部を切断した後に、前記基礎貫通用鞘管内を通って前記コンクリート基礎の屋内側から屋外側まで延びる前記配管を設置するステップを含む、管路施工方法。
【発明の詳細な説明】
【技術分野】
【０００１】
この発明は、基礎貫通用鞘管および管路施工方法に関し、特にたとえば、建物の基礎を貫通する配管の施工に用いられる、基礎貫通用鞘管および管路施工方法に関する。
【背景技術】
【０００２】
従来の基礎貫通用鞘管の一例が特許文献１に開示される。特許文献１の基礎貫通用鞘管は、９０°エルボ継手を収容可能な縦鞘管部と横鞘管部とを備える。そして、縦鞘管部の断面形状は馬蹄形とされ、その下流側の幅が上流側の幅よりも広くされる。このような基礎貫通用鞘管は、建物の基礎に埋設されることによって、基礎の屋内側と屋外側とを連通させる貫通路を形成する。配管は、基礎貫通用鞘管内の貫通路を通るように施工される。
【先行技術文献】
【特許文献】
【０００３】
【特許文献１】特開２０１０−５３５９９号公報
【発明の概要】
【発明が解決しようとする課題】
【０００４】
基礎貫通用鞘管の周囲にはコンクリートが打設されるが、このコンクリート打設時に、生コンクリートから受ける圧力（生コンクリート圧）によって基礎貫通用鞘管が変形してしまう可能性がある。特に、特許文献１の技術のように、基礎貫通用鞘管の縦鞘管部が馬蹄形の断面形状を有していると、側方からの圧力に弱くなり、縦鞘管部が変形し易くなる。基礎貫通用鞘管が変形した状態（つまり貫通路の断面形状が変形した状態）で埋設固定されると、その内部に配管を挿通できない恐れが生じる。
【０００５】
それゆえに、この発明の主たる目的は、新規な、基礎貫通用鞘管および管路施工方法を提供することである。
【０００６】
この発明の他の目的は、コンクリート打設時の変形を防止できる、基礎貫通用鞘管および管路施工方法を提供することである。
【課題を解決するための手段】
【０００７】
第１の発明は、建物の基礎を貫通する配管の施工に用いられる基礎貫通用鞘管であって、上開口を有する縦鞘管部と横開口を有する横鞘管部とを備える鞘管本体、および鞘管本体と一体成形され、上開口を覆うように当該上開口の周縁を連結させるドーム状の上開口補強部を備える、基礎貫通用鞘管である。
【０００８】
第１の発明では、基礎貫通用鞘管は、建物の基礎を貫通する排水管などの配管を施工するために用いられるものであり、基礎に埋設固定されることによって、基礎の屋内側と屋外側とを連通させる貫通路を形成する。基礎貫通用鞘管は、上開口を有する縦鞘管部と横開口を有する横鞘管部とを備えるエルボ状などに形成される鞘管本体を備える。また、上開口を覆うドーム状に形成されて、上開口の周縁を連結させる上開口補強部が、鞘管本体に対して一体的に設けられる。この上開口補強部は、基礎貫通用鞘管が建物の基礎に埋設固定された後に切断除去されるものであり、上開口補強部が鞘管本体から切断除去されることによって、鞘管本体の上開口が開放状態となる。
【０００９】
第１の発明によれば、鞘管本体の上開口に対してその周縁を連結させる上開口補強部を設けたので、鞘管本体の上開口部分の強度が向上される。したがって、コンクリート打設時の生コンクリート圧による基礎貫通用鞘管の変形を適切に防止できる。
【００１０】
その上、上開口補強部は、上開口を覆うように設けられるので、上開口から基礎貫通用鞘管内に生コンクリートやゴミ等が入り込むことを防止するキャップの機能も果たす。したがって、コンクリート打設前にキャップやテープ等を用いて上開口を封止する作業を省略でき、基礎貫通用鞘管の施工作業が効率化される。
【００１１】
第２の発明は、第１の発明に従属し、上開口補強部に設けられ、基礎貫通用鞘管を立上り基礎または立上り基礎の基礎型枠に仮固定するための保持部材が取り付けられる保持部材取付部を備える。
【００１２】
第２の発明では、上開口補強部は、リング状などに形成される保持部材取付部を備える。この保持部材取付部は、基礎貫通用鞘管を仮固定するためのワイヤ、針金、紐および糸などの保持部材を取り付けるために利用される。
【００１３】
第２の発明によれば、保持部材取付部を備えるので、基礎貫通用鞘管に保持部材を取り付けて基礎貫通用鞘管を仮固定する作業が容易となる。また、外部に露出する部分である上開口補強部に対して保持部材取付部を設けるので、コンクリート内に埋め残したりコンクリートを傷つけたりすることなく、保持部材を取り外すことができる。
【００１４】
第３の発明は、第１または第２の発明に従属し、上開口補強部の上面は、水平面を有する。
【００１５】
第３の発明によれば、上開口補強部の水平面に対して水平器を当てる或いは載置する等して、基礎貫通用鞘管が傾いて設置されていないことを確認できるので、基礎貫通用鞘管の水平出しが容易となる。
【００１６】
第４の発明は、第１ないし第３のいずれかの発明に従属し、鞘管本体と一体成形され、横開口を覆うように当該横開口の周縁を連結させる横開口補強部を備える。
【００１７】
第４の発明では、横開口を覆うドーム状などに形成されて、横開口の周縁を連結させる横開口補強部が、鞘管本体に対して一体的に設けられる。この横開口補強部は、基礎貫通用鞘管が建物の基礎に埋設固定された後に切断除去されるものであり、横開口補強部が鞘管本体から切断除去されることによって、鞘管本体の横開口が開放状態となる。
【００１８】
第４の発明によれば、鞘管本体の横開口に対してその周縁を連結させる横開口補強部を設けたので、鞘管本体の横開口部分の強度が向上される。また、横開口補強部は、横開口を覆うように設けられることでキャップの機能も果たすので、コンクリート打設前にキャップやテープ等を用いて横開口を封止する作業を省略でき、基礎貫通用鞘管の施工作業が効率化される。
【００１９】
第５の発明は、建物の基礎を貫通する配管を施工する管路施工方法であって、（ａ）上開口を有する縦鞘管部と横開口を有する横鞘管部とを備える鞘管本体と、上開口を覆うように当該上開口の周縁を連結させる上開口補強部とを備える基礎貫通用鞘管を用意するステップ、（ｂ）立上り基礎のボイド孔に対して鞘管本体の横鞘管部を嵌め込み、上開口が土間コンクリートの屋内側となる位置に配置されるように基礎貫通用鞘管を設置するステップ、（ｃ）ステップ（ｂ）で基礎貫通用鞘管を設置した後に、上開口補強部が土間コンクリートの上面から突出するように土間コンクリートを打設し、基礎貫通用鞘管を埋設固定するステップ、（ｄ）ステップ（ｃ）で基礎貫通用鞘管を埋設固定した後に、鞘管本体から上開口補強部を切断するステップ、および（ｅ）ステップ（ｄ）で上開口補強部を切断した後に、基礎貫通用鞘管内を通って土間コンクリートの屋内側から立上り基礎の屋外側まで延びる配管を設置するステップを含む、管路施工方法である。
【００２０】
第５の発明では、基礎貫通用鞘管を用いて建物の基礎を貫通する配管を施工する。この第５の発明に係る管路施工方法は、基本的に、布基礎を貫通する排水管などの施工に適用されるものである。先ず、ステップ（ａ）では、基礎貫通用鞘管を用意する。この基礎貫通用鞘管は、上開口を有する縦鞘管部と横開口を有する横鞘管部とを備える鞘管本体を備え、上開口を覆うドーム状などに形成されて、上開口の周縁を連結させる上開口補強部が、鞘管本体に対して一体的に設けられるものである。次のステップ（ｂ）では、立上り基礎に形成されるボイド孔に対して、鞘管本体の横鞘管部を嵌め込み、上開口が土間コンクリートの屋内側となる位置に配置されるように基礎貫通用鞘管を設置する。この際には、基礎貫通用鞘管が傾いて設置されないように、吊り糸などの保持部材を用いて基礎貫通用鞘管を仮固定する。続くステップ（ｃ）では、基礎貫通用鞘管の上開口補強部が土間コンクリートの上面から突出するように土間コンクリートを打設し、基礎貫通用鞘管を埋設固定する。続くステップ（ｄ）では、基礎貫通用鞘管の鞘管本体から上開口補強部を切断除去する。これによって、鞘管本体の上開口が開放状態となり、上開口からの配管の挿通が可能となる。そして、ステップ（ｅ）では、基礎貫通用鞘管内を通って土間コンクリートの屋内側から立上り基礎の屋外側まで延びる配管を設置する。
【００２１】
第５の発明によれば、第１の発明と同様に、土間コンクリート打設時の生コンクリート圧による基礎貫通用鞘管の変形を適切に防止できる。その上、上開口を覆う上開口補強部がキャップの機能も果たすので、土間コンクリート打設前にキャップやテープ等を用いて上開口を封止する作業を省略でき、基礎貫通用鞘管の施工作業が効率化される。
【００２２】
第６の発明は、建物の基礎を貫通する配管を施工する管路施工方法であって、（ａ）内部に鉄筋が配置された基礎型枠を設置するステップ、（ｂ）上開口を有する縦鞘管部と横開口を有する横鞘管部とを備える鞘管本体と、上開口を覆うように当該上開口の周縁を連結させる上開口補強部とを備える基礎貫通用鞘管を用意するステップ、（ｃ）上開口がコンクリート基礎の屋内側となる位置に配置され、横開口がコンクリート基礎の屋外側となる位置に配置されるように、鉄筋間を通して基礎貫通用鞘管を設置するステップ、（ｄ）ステップ（ｃ）で基礎貫通用鞘管を設置した後に、上開口補強部がコンクリート基礎の上面から突出するようにコンクリート基礎を打設し、基礎貫通用鞘管を埋設固定するステップ、（ｅ）ステップ（ｄ）で基礎貫通用鞘管を埋設固定した後に、鞘管本体から上開口補強部を切断するステップ、および（ｆ）ステップ（ｅ）で上開口補強部を切断した後に、基礎貫通用鞘管内を通ってコンクリート基礎の屋内側から屋外側まで延びる配管を設置するステップを含む、管路施工方法である。
【００２３】
第６の発明では、基礎貫通用鞘管を用いて建物の基礎を貫通する配管を施工する。この第６の発明に係る管路施工方法は、基本的に、べた基礎を貫通する排水管などの施工に適用されるものである。先ず、ステップ（ａ）では、内部に鉄筋が配置された基礎型枠を設置する。また、ステップ（ｂ）では、基礎貫通用鞘管を用意する。この基礎貫通用鞘管は、上開口を有する縦鞘管部と横開口を有する横鞘管部とを備える鞘管本体を備え、上開口を覆うドーム状などに形成されて、上開口の周縁を連結させる上開口補強部が、鞘管本体に対して一体的に設けられるものである。次のステップ（ｃ）では、上開口がコンクリート基礎の屋内側となる位置に配置され、横開口がコンクリート基礎の屋外側となる位置に配置されるように、鉄筋間を通して基礎貫通用鞘管を設置する。この際には、基礎貫通用鞘管が傾いて設置されないように、吊り糸などの保持部材を用いて基礎貫通用鞘管を仮固定する。続くステップ（ｄ）では、基礎貫通用鞘管の上開口補強部がコンクリート基礎の上面から突出するようにコンクリート基礎を打設し、基礎貫通用鞘管を埋設固定する。続くステップ（ｅ）では、基礎貫通用鞘管の鞘管本体から上開口補強部を切断除去する。これによって、鞘管本体の上開口が開放状態となり、上開口からの配管の挿通が可能となる。そして、ステップ（ｆ）では、基礎貫通用鞘管内を通ってコンクリート基礎の屋内側から屋外側まで延びる配管を設置する。
【００２４】
第６の発明によれば、第１の発明と同様に、コンクリート基礎打設時の生コンクリート圧による基礎貫通用鞘管の変形を適切に防止できる。その上、上開口を覆う上開口補強部がキャップの機能も果たすので、コンクリート基礎打設前にキャップやテープ等を用いて上開口を封止する作業を省略でき、基礎貫通用鞘管の施工作業が効率化される。
【発明の効果】
【００２５】
この発明によれば、鞘管本体の上開口に対してその周縁を連結させる上開口補強部を設けたので、鞘管本体の上開口部分の強度が向上される。したがって、コンクリート打設時の生コンクリート圧による鞘管の変形を適切に防止できる。その上、上開口補強部は、上開口を覆うように設けられるので、上開口から鞘管内に生コンクリートやゴミ等が入り込むことを防止するキャップの機能も果たす。したがって、コンクリート打設前にキャップやテープ等を用いて上開口を封止する作業を省略でき、鞘管の施工作業が効率化される。
【００２６】
この発明の上述の目的，その他の目的，特徴および利点は、図面を参照して行う以下の実施例の詳細な説明から一層明らかとなろう。
【図面の簡単な説明】
【００２７】
【図１】この発明の一実施例の基礎貫通用鞘管を建物の布基礎に施工するときの様子を示す図解図である。
【図２】図１の基礎貫通用鞘管内に挿通される内管の一例を示す図解図であって、(Ａ)は斜視図であり、(Ｂ)は断面図である。
【図３】図１の基礎貫通用鞘管を示す図解図であって、(Ａ)は斜視図であり、(Ｂ)は断面図である。
【図４】図１の基礎貫通用鞘管を示す図解図であって、(Ａ)は正面図であり、(Ｂ)は平面図であり、(Ｃ)は横開口側を示す側面図である。
【図５】図１の基礎貫通用鞘管を布基礎に施工する施工方法の一例を示す図解図であり、(Ａ)は基礎貫通用鞘管を布基礎の立上り基礎に仮固定した様子を示し、(Ｂ)は土間コンクリートを打設して基礎貫通用鞘管を埋設固定するときの様子を示し、(Ｃ)は埋設固定した基礎貫通用鞘管の上開口補強部および横開口補強部を切断除去した様子を示す。
【図６】図５(Ａ)の状態を上方から見た様子を示す図解図である。
【図７】図１の基礎貫通用鞘管内を通る排水管を施工する施工方法の一例を示す図解図であり、(Ａ)は基礎貫通用鞘管内に内管を差し入れるときの様子を示し、(Ｂ)は内管の横管部先端を屋外に突出させた様子を示し、(Ｃ)は内管の横管部に屋外側配管を接続した様子を示す。
【図８】図１の基礎貫通用鞘管を用いて建物の布基礎を貫通する排水管を施工した様子を示す図解図である。
【図９】この発明の他の実施例の基礎貫通用鞘管を示す斜視図である。
【図１０】図９の基礎貫通用鞘管を建物の布基礎に施工するときの様子を示す図解図である。
【図１１】この発明のさらに他の実施例の基礎貫通用鞘管を示す斜視図である。
【図１２】図１１の基礎貫通用鞘管を建物のべた基礎に施工する施工方法の一例を示す図解図であり、(Ａ)は鉄筋間を通るように基礎貫通用鞘管を仮固定した様子を示し、(Ｂ)は基礎コンクリートを打設して基礎貫通用鞘管を埋設固定するときの様子を示し、(Ｃ)は埋設固定した基礎貫通用鞘管の上開口補強部を切断除去した様子を示す。
【図１３】この発明のさらに他の実施例の基礎貫通用鞘管を示す断面図である。
【図１４】図１３の基礎貫通用鞘管を建物のべた基礎に施工するときの様子を示す図解図である。
【発明を実施するための形態】
【００２８】
図１を参照して、この発明の一実施例である基礎貫通用鞘管（以下、単に「鞘管」という。）１０は、建物の基礎を貫通する排水管を施工するために用いられるものであり、基礎に埋設固定されることによって、基礎の屋内側と屋外側とを連通させる貫通路を形成する。そして、この鞘管１０内に挿通した内管１２によって屋内側配管１４と屋外側配管１６とを連結することにより、基礎を貫通する排水管が施工される（図８参照）。
【００２９】
図１に示すように、この実施例では、布基礎１００に対して鞘管１０を適用した例を示す。布基礎１００は、立上り部（立上り基礎）１０２とその下端に設けられるフーチング１０４とを備え、逆Ｔ字形の断面形状を有する。また、立上り部１０２には、布基礎１００の打設時においてボイド孔１０６が予め形成される。ボイド孔１０６は、鞘管１０の横鞘管部３２の外径よりも若干大きい内径を有する断面円形の貫通孔である。
【００３０】
なお、布基礎１００の立上り部１０２の厚みは、一般的には１５０〜１７０ｍｍに設定されるが、この実施例では、最も厚い部類に入る１９５ｍｍを想定している。また、施工する排水管は、内径１００ｍｍの合成樹脂管を想定している。後述する鞘管１０および内管１２の各部の寸法は、これらに合わせて設定された寸法である。
【００３１】
先ず、鞘管１０内に設置される内管１２の一例について説明する。内管１２は、鞘管１０（貫通路）内に挿通されて、屋内側配管１４と屋外側配管１６とを連結する継手であって、排水管の一部を構成する（図８参照）。
【００３２】
図２に示すように、内管１２は、可撓性を有さない硬質管であって、硬質塩化ビニル等の合成樹脂によって形成される。内管１２は、エルボ部２０とその下流側に設けられる横管部２２とを備え、横方向に長い略Ｌ字状に形成される。この実施例では、両端部に受口を有する汎用の９０°エルボの下流側受口に対して、汎用の直管（プレーン管）を接着接合することによって、内管１２が形成される。すなわち、内管１２の上流側端部には、屋内側配管１４と接続される受口２４が上向きに形成され、内管１２の下流側端部には、屋外側配管１６と接続される差口２６が横向きに形成される。
【００３３】
横管部２２の軸方向長さＬ１は、布基礎１００の立上り部１０２の厚みよりも大きく設定され、後述のように、排水管を施工する際、鞘管１０内で内管１２を布基礎１００の立上り部１０２側に寄せたときに、横管部２２の先端部分（差口２６）が立上り部１０２から屋外に突出する長さとされる（図７(Ｂ)参照）。横管部２２の軸方向長さＬ１は、たとえば３００ｍｍである。
【００３４】
また、横管部２２の軸方向における内管１２の全体長さＬ２は、たとえば４２４ｍｍである。また、エルボ部２０の外径、つまり横管部２２の軸方向と直交する方向における内管１２の最大幅は、たとえば１２５ｍｍである。
【００３５】
続いて、鞘管１０の構成について具体的に説明する。図３および図４に示すように、鞘管１０は、硬質塩化ビニル、ポリエチレンおよびポリプロピレン等の合成樹脂によって形成され、ブロー成形などを利用して製造される。鞘管１０は、上開口３０ａと横開口３０ｂとを有する鞘管本体３０を備える。この鞘管本体３０は、横鞘管部３２、湾曲部３４および縦鞘管部３６を含み、全体として９０°エルボ状に形成される。
【００３６】
横鞘管部３２は、横方向に延びる断面円形の短直管状に形成され、その下流側端部に横向きに開口する横開口３０ｂが形成される。横鞘管部３２の内径は、たとえば１１９ｍｍである。湾曲部３４は、横鞘管部３２の上流側に設けられ、横鞘管部３２の上流側端部から連続して上向きに湾曲する筒状に形成される。縦鞘管部３６は、湾曲部３４の上流側に設けられ、上下方向に延びる短直管状に形成される。この縦鞘管部３６の上流側端部に上向きに開口する上開口３０ａが形成される。
【００３７】
また、縦鞘管部３６は、横鞘管部３２の軸方向において対向配置される半円筒状の側壁と、横鞘管部３２の軸方向と直交する方向において対向配置される平板状の側壁とを有し、その断面形状は、小判形状（角丸長方形状）とされる。つまり、上開口３０ａは小判形状に開口する。この実施例では、上開口３０ａの大きさ（開口面積）は、上述のように長い横管部２２を有する内管１２（図２参照）を、分割等することなくそのまま抜き差し可能な大きさに設定される。これによって、後述のように、排水管を施工する際には、排水管の接続作業および切断作業を全て、鞘管１０（貫通路）の外部で行うことが可能となり、排水管の接続作業を容易かつ適切に実行できる。また、排水管を更新する際にも、排水管の切断作業を全て、鞘管１０の外部で行うことが可能であり、鞘管１０内に残る排水管も上開口３０ａから容易に抜き取ることができる。
【００３８】
ただし、部材コストや後述する土間コンクリート１１６の見た目などを考慮すると、上開口３０ａの大きさは、なるべく小さくすることが好ましい。そこで、この実施例では、横鞘管部３２の軸方向における上開口３０ａの径（縦鞘管部３６の内径）Ｒ１は、鞘管１０内に内管１２を差し入れる際において、内管１２の横管部２２の先端が、横鞘管部３２の基端部３８に達したときに、内管１２のエルボ部２０の後端側部分２８が上開口３０ａの周縁にぎりぎり当たらない程度の大きさに設定される（図７(Ａ)参照）。これにより、上開口３０ａの大きさが抑えられる。また、鞘管１０内に内管１２を配置した際には、内管１２は、横鞘管部３２の軸方向に沿って移動可能となる。つまり、排水管の配管可動域が存在するようになる。上開口３０ａの径Ｒ１は、たとえば３５５ｍｍである。
【００３９】
また、横鞘管部３２の軸方向と直交する方向における上開口３０ａの径Ｒ２は、内管１２のエルボ部２０の外径と同じまたは略同じ大きさに設定される。これにより、上開口３０ａの大きさが抑えられる。また、鞘管１０内に内管１２を挿通した際には、内管１２は、縦鞘管部３６の平板状の側壁に支えられて、横鞘管部３２の軸方向周りに回転して側方に倒れることが防止される。上開口３０ａの径Ｒ２は、たとえば１２５ｍｍである。
【００４０】
また、横鞘管部３２の基端部３８、つまり横鞘管部３２から湾曲部３４への移行部分は、その断面形状が馬蹄形となるように段差状に拡径される。すなわち、横鞘管部３２の基端部３８は、半円筒状の上半部と半角筒状の下半部とを有し、横鞘管部３２の外周面には、鍔状に突出する段差面３８ａが形成される。後述のように、横鞘管部３２をボイド孔１０６に嵌め込んで鞘管１０を設置する際には、ボイド孔１０６の周縁と段差面３８ａとが当接することによって、鞘管１０が位置決めされる。
【００４１】
さらに、湾曲部３４の上流側底部には、矩形平板状の平板部４０が形成される。鞘管１０を設置する際には、この平板部４０と横鞘管部３２の基端部３８底面とが、直接または防湿シート１１４を介して土面上に載置されることで鞘管１０が安定し、鞘管１０の側方への転倒が防止される。
【００４２】
そして、この実施例では、鞘管本体３０の両端部には、上開口補強部４２および横開口補強部４４が一体的に設けられる。つまり、鞘管本体３０と上開口補強部４２および横開口補強部４４とは、一体成形される。
【００４３】
上開口補強部４２は、上開口３０ａを覆うようにドーム状に形成され、上開口３０ａの周縁（つまり縦鞘管部３６の上流側端部）を連結させる。このような上開口補強部４２を設けることによって、鞘管本体３０の上開口３０ａ部分の強度、特に側方からの圧力に対する強度が向上される。また、上開口補強部４２は、その上面に水平面４２ａを有する。この水平面４２ａは、鞘管１０を設置する際に、水平器を当てる或いは載置するために用いられる。
【００４４】
横開口補強部４４は、横開口３０ｂを覆うようにドーム状に形成され、横開口３０ｂの周縁（つまり横鞘管部３２の下流側端部）を連結させる。このような横開口補強部４４を設けることによって、鞘管本体３０の横開口３０ｂ部分の強度が向上される。
【００４５】
さらに、上開口補強部４２および横開口補強部４４には、リング状の保持部材取付部４６が設けられる。この保持部材取付部４６は、鞘管１０を設置する際に、鞘管１０を仮固定するために用いられるワイヤ、針金、紐および糸などの保持部材１１０（図５参照）を取り付けるために用いられる。この実施例では、上開口補強部４２には、横鞘管部３２の突出方向側とその逆側とに保持部材取付部４６を設けている。また、横開口補強部４４には、横鞘管部３２の外周面よりも外方に突出しないように、その上部に保持部材取付部４６を設けている。ただし、保持部材取付部４６の形状、個数および配置位置などは適宜変更可能である。
【００４６】
上述のような上開口補強部４２および横開口補強部４４は、コンクリートを打設して鞘管１０を埋設固定した後（この実施例では土間コンクリート１１６の打設後）に切断除去されるものである。上開口補強部４２および横開口補強部４４を切断除去することによって、鞘管本体３０の上開口３０ａおよび横開口３０ｂが開放状態となり、布基礎１００の屋内側と屋外側とを連通させる貫通路が形成される。なお、上開口補強部４２および横開口補強部４４は切断除去されるものであるため、縦鞘管部３６および横鞘管部３２の軸方向長さは、上開口補強部４２が屋内側に突出した状態、また、横開口補強部４４が屋外側に突出した状態で鞘管１０を埋設固定できるような大きさに設定される。
【００４７】
また、縦鞘管部３６の上端部外面には、コンクリートを打設可能な上限位置を凹凸や印刷などによって表示する表示部４８が設けられる。この表示部４８を目安にしてコンクリートを打設することによって、上開口補強部４２がコンクリート内に埋設されることが防止される。ただし、表示部４８は、コンクリートを打設可能な高さ範囲や推奨する高さ範囲などを示すものであってもよい。
【００４８】
続いて、図５−図８を参照して、鞘管１０を用いて建物の布基礎１００を貫通する排水管を施工する管路施工方法の一例について説明する。
【００４９】
この管路施工方法では、先ず、図５および図６に示すように、布基礎１００を打設すると共に、鞘管１０を所定位置に埋設固定する。
【００５０】
具体的には、先ず、布基礎１００を打設するための基礎型枠を形成し、基礎型枠内に鉄筋を配置する。また、排水管の配管位置には、立上り部１０２の下部を厚み方向に貫通するように、円筒状のボイド管を配置しておく。そして、基礎型枠内に生コンクリートを流し込み、所定時間養生してコンクリートが固化した後、基礎型枠およびボイド管を除去する。これによって、立上り部１０２にボイド孔１０６を有する布基礎１００が打設される。ただし、ボイド管は、立上り部１０２に埋め殺しされてもよい。また、ボイド孔１０６の屋内側には、鞘管１０を設置するための空間を設けると共に、屋内側の土１１２の上には、防湿シート１１４を設置しておく。なお、防湿シート１１４は、鞘管１０を載置する部分を切り欠いておくこともできる。また、布基礎１００は、プレファブリケーション（プレハブ）で形成されてもよい。
【００５１】
次に、図５(Ａ)に示すように、ボイド孔１０６に鞘管１０の横鞘管部３２を嵌め込んで、鞘管１０を設置する。この際には、鞘管本体３０の底部を直接または防湿シート１１４を介して土面上に載置すると共に、ボイド孔１０６の周縁と鞘管１０の横鞘管部３２の段差面３８ａとが当接するまで横鞘管部３２をボイド孔１０６に嵌め込む。そしてこの状態で、図６からよく分かるように、吊り糸などの保持部材１１０を用いて鞘管１０を仮固定する。
【００５２】
保持部材１１０を用いて鞘管１０を仮固定する方法は特に限定されないが、たとえば、上開口補強部４２および横開口補強部４４のそれぞれに設けた保持部材取付部４６を連結させるように保持部材１１０を取り付け、保持部材１１０によって吊り上げるようにして鞘管１０を仮固定するとよい。この際には、保持部材１１０は、布基礎１００の立上り部１０２上面から突出するように設けられるアンカボルト１０８等を経由させて、横方向に広げた状態にするとよい。ただし、必ずしもアンカボルト１０８等を経由させて保持部材１１０を取り付ける必要はない。また、図示は省略するが、立上り部１０２の上面などに保持部材取付具を別途設置し、たとえば、この保持部材取付具と鞘管１０の上開口補強部４２および横開口補強部４４に設けられる保持部材取付部４６とを保持部材１１０によって連結することにより、鞘管１０を仮固定することもできる。また、保持部材取付具として昇降部を有するフロアバンド等を用い、たとえば、その昇降部を介して上開口補強部４２に設けた保持部材取付部４６と横開口補強部４４に設けた保持部材取付部４６とを保持部材１１０によって連結し、連結後に昇降部を用いて保持部材１１０を張り上げるようにしてもよい。これによって、作業者の技術による個人差を生じさせることなく、より確実に鞘管１０を仮固定できる。
【００５３】
さらに、図示は省略するが、上開口補強部４２の水平面４２ａに対して水平器を当てる或いは載置して、鞘管１０が傾いて設置されていないことを確認する。
【００５４】
このように横鞘管部３２をボイド孔１０６に嵌め込んだ状態で、保持部材１１０を用いて鞘管１０を仮固定することで、鞘管１０が安定的に仮固定される。また、ボイド孔１０６の周縁と段差面３８ａとが当接することで、鞘管１０が容易に位置決めされる。さらに、平板状に形成される横鞘管部３２の基端部３８底面と平板部４０とが土面上に載置されることで、横鞘管部３２の軸方向周りの鞘管１０の回転が防止され、鞘管１０がより安定的に仮固定される。
【００５５】
鞘管１０が仮固定されると、続いて、図５(Ｂ)に示すように、鞘管１０の周囲の空間を土で埋め戻した後、或いはそのまま、鞘管１０の縦鞘管部３６の周囲を覆うように土間コンクリート１１６を打設して、鞘管１０を埋設固定する。土間コンクリート１１６を打設するときには、表示部４８に表示される上限位置を超えないようにし、土間コンクリート１１６の上面から上開口補強部４２の全体が突出するようにする。
【００５６】
ここで、この実施例では、上開口３０ａの周縁を連結させるように上開口補強部４２を設けることによって、鞘管本体３０の上開口３０ａ部分を補強しているので、土間コンクリート１１６打設時の生コンクリート圧による縦鞘管部３６（延いては鞘管１０）の変形が適切に防止される。また、上開口補強部４２は、上開口３０ａを覆うように設けられているため、上開口３０ａから鞘管１０内に生コンクリートやゴミ等が入り込むことを防止するキャップの機能も果たす。したがって、土間コンクリート１１６の打設前にキャップやテープ等を用いて上開口３０ａを封止する作業を省略できる。同様に、横開口補強部４４は、横開口３０ｂを覆うように設けられていることからキャップの機能も果たし、キャップやテープ等を用いて横開口３０ｂを封止する作業を省略できる。さらに、上開口補強部４２は、ドーム状に形成されているので、仮に上開口補強部４２の周縁部分に生コンクリートが乗ってしまったとしても、生コンクリートは自然と滑り落ちる。
【００５７】
土間コンクリート１１６が硬化して鞘管１０が埋設固定されると、続いて、図５(Ｃ)に示すように、鞘管本体３０から上開口補強部４２と横開口補強部４４とを切断除去する。
【００５８】
具体的には、先ず、鞘管１０の仮固定に用いた保持部材１１０を取り外す。この際、外部に露出する（つまり埋設されない部分である）上開口補強部４２および横開口補強部４４に対して保持部材取付部４６を設けていることから、土間コンクリート１１６内に埋め残したり土間コンクリート１１６を傷つけたりすることなく、保持部材１１０を取り外すことができる。
【００５９】
そして、ディスクグラインダ（サンダ）等の切断工具を用いて、縦鞘管部３６の上流側端部を土間コンクリート１１６の上面近傍位置において切断することによって、上開口補強部４２を切断除去する。この切断作業によって、上開口３０ａが開放状態になると同時に、縦鞘管部３６の長さ（高さ）調整が完了する。同様に、切断工具を用いて、横鞘管部３２の下流側端部を立上り部１０２の屋外側の側面近傍位置において切断することによって、横開口補強部４４を切断除去する。この切断作業によって、横開口３０ｂが開放状態になると同時に、横鞘管部３２の長さ調整が完了する。
【００６０】
以上の作業により、布基礎１００の屋内側と屋外側とを連通する貫通路（配管通路）が、鞘管１０の鞘管本体３０によって形成される。
【００６１】
鞘管１０の埋設固定作業が終了すると、次に、図７に示すように、鞘管１０内に排水管を挿通して設置する。
【００６２】
具体的には、先ず、図７(Ａ)に示すように、鞘管１０の外部において、内管１２の受口２４に対して屋内側配管１４の配管部材を接着接合し、その後、上開口３０ａから鞘管１０内に内管１２を斜め方向に差し込む。そして、内管１２の横管部２２の先端が横鞘管部３２の基端部３８に達したときに、横管部２２の先端を支点として内管１２を鞘管１０内に回し入れる。
【００６３】
続いて、図７(Ｂ)に示すように、内管１２を布基礎１００の立上り部１０２側に寄せて、内管１２の横管部２２の下流側端部（差口２６）を屋外に突出させる。そして、図７(Ｃ)に示すように、鞘管１０の外部において、ソケット１８等を用いて横管部２２の差口２６に対して屋外側配管１６の配管部材を接着接合する。
【００６４】
次に、図８に示すように、所望する屋内側配管１４の配管位置に合わせて、接続した屋外側配管１６の配管部材と共に内管１２を移動させて、横鞘管部３２の軸方向における内管１２の配置位置を調整する。その後、ボイド孔１０６の屋外側開口縁にシリコンシーラントなどのコーキング１１８を施し、屋外側配管１６の外周面とボイド孔１０６の内周面との間の隙間を塞ぐ。なお、図示は省略するが、鞘管１０には、その上開口３０ａを封止する蓋を適宜設けておくとよい。また、内管１２と鞘管１０との間の隙間をスポンジ等で埋めてもよい。
【００６５】
最後に、屋外側配管１６の周囲を土等で埋め戻すことによって、布基礎１００の立上り部１０２を貫通する排水管の施工が終了する。このように、排水管を施工する際には、排水管の接続作業および切断作業を全て、鞘管１０の外部で行うことが可能であり、排水管の接続作業を容易かつ適切に実行できる。
【００６６】
なお、図示は省略するが、上記のような鞘管１０を用いて施工した排水管を更新する方法について簡単に説明する。老朽化等の理由により排水管を更新する必要が生じた場合には、先ず、排水管の屋内側配管１４を鞘管１０の外部で切断する。次に、鞘管１０内の排水管を布基礎１００の立上り部１０２側に寄せ、立上り部１０２から屋外に突出する排水管を、立上り部１０２の屋外側の側面近傍において切断する。続いて、鞘管１０内に残る排水管を上開口３０ａからそのまま抜き取る。その後、図７および図８に示した方法と同様にして、新規の排水管を鞘管１０内に挿通して設置することによって、排水管の更新が完了する。このように、排水管を更新する際には、排水管の切断作業を全て、鞘管１０の外部で行うことが可能であり、鞘管１０内に残る排水管も上開口３０ａから容易に抜き取ることができる。
【００６７】
以上のように、この実施例によれば、鞘管本体３０の上開口３０ａに対してその周縁を連結させる上開口補強部４２を設けたので、鞘管本体３０の上開口３０ａ部分の強度が向上される。したがって、土間コンクリート１１６打設時の生コンクリート圧による鞘管１０の変形を適切に防止できる。その上、上開口補強部４２は、上開口３０ａを覆うように設けられるので、上開口３０ａから鞘管１０内に生コンクリートやゴミ等が入り込むことを防止するキャップの機能も果たす。したがって、土間コンクリート１１６の打設前にキャップやテープ等を用いて上開口３０ａを封止する作業を省略でき、鞘管１０の施工作業が効率化される。
【００６８】
また、鞘管本体３０の横開口３０ｂに対してその周縁を連結させる横開口補強部４４を設けたので、鞘管本体３０の横開口３０ｂ部分の強度が向上される。横開口補強部４４は、横開口３０ｂを覆うように設けられることでキャップの機能も果たすので、土間コンクリート１１６の打設前にキャップやテープ等を用いて横開口３０ｂを封止する作業を省略できる。
【００６９】
さらに、保持部材取付部４６を備えるので、鞘管１０に保持部材１１０を取り付けて鞘管１０を仮固定する作業が容易となる。また、外部に露出する上開口補強部４２および横開口補強部４４に対して保持部材取付部４６を設けたので、土間コンクリート１１６内に埋め残したり土間コンクリート１１６を傷つけたりすることなく、保持部材１１０を取り外すことができる。
【００７０】
さらにまた、上開口補強部４２が水平面４２ａを有するので、水平器を用いた鞘管１０の水平出しが容易となる。
【００７１】
なお、上述の実施例では、上開口補強部４２および横開口補強部４４によって鞘管本体３０の上開口３０ａおよび横開口３０ｂの全体を覆うようにしたが、これに限定されない。上開口補強部４２および横開口補強部４４は、必ずしも上開口３０ａおよび横開口３０ｂを完全に封止（密閉）する必要はなく、その一部が切り欠かれていてもよい。たとえば、上開口補強部４２および横開口補強部４４の補強機能およびキャップ機能を損なわい程度の小径の孔が形成されていてもよい。
【００７２】
また、上述の実施例では、上開口補強部４２および横開口補強部４４をドーム状に形成したが、これに限定されない。上開口補強部４２および横開口補強部４４は、たとえば、平板状に形成されてもよい。
【００７３】
さらに、上述の実施例では、鞘管本体３０の横開口３０ｂに横開口補強部４４を設けるようにしたが、横開口補強部４４は、必ずしも設ける必要はない。また、鞘管本体３０の横鞘管部３２は、必ずしもボイド孔１０６の全長に亘る長さを有する必要もない。
【００７４】
たとえば、図９に示すように、この発明の他の実施例の鞘管１０では、鞘管本体３０の横開口３０ｂは予め開放状態にされ、鞘管本体３０の横鞘管部３２の長さは短く設定される。段差面３８ａから横鞘管部３２の先端までの長さは、たとえば３０ｍｍである。その他の部分については、図１に示す鞘管１０と同様であるので、説明は省略する。
【００７５】
図９に示す鞘管１０を埋設固定する際には、図１０に示すように、ボイド孔１０６に鞘管１０の横鞘管部３２を嵌め込み、ボイド孔１０６の周縁と鞘管１０の横鞘管部３２の段差面３８ａとを当接させる。そしてこの状態で、吊り糸などの保持部材１１０を用いて鞘管１０を仮固定する。たとえば、上開口補強部４２に設けた保持部材取付部４６と立上り部１０２のアンカボルト１０８等とを連結させるように保持部材１１０を取り付けて、鞘管１０を仮固定するとよい。
【００７６】
鞘管１０の仮固定後、鞘管１０の縦鞘管部３６の周囲を覆うように土間コンクリート１１６を打設して、鞘管１０を埋設固定する。この際には、段差面３８ａをボイド孔１０６の縁の周方向全長に当接させておくことによって、埋め戻し用の土または生コンクリートが、横鞘管部３２外周面とボイド孔１０６内周面との間の隙間に侵入（流出）することが防止される。
【００７７】
鞘管１０の埋設固定後、鞘管１０の仮固定に用いた保持部材１１０を取り外し、また、縦鞘管部３６の上流側端部を土間コンクリート１１６の上面近傍位置において切断することによって、上開口補強部４２を切断除去する。これにより、布基礎１００の屋内側と屋外側とを連通させる貫通路がボイド孔１０６と鞘管本体３０とによって形成されるので、この貫通路を利用して排水管を設置する。
【００７８】
図９に示す実施例においても、図１に示す実施例と同様に、鞘管本体３０の上開口３０ａに対してその周縁を連結させる上開口補強部４２を設けたので、土間コンクリート１１６打設時の生コンクリート圧による鞘管１０の変形を適切に防止できる。また、上開口補強部４２がキャップの機能も果たすので、土間コンクリート１１６の打設前にキャップやテープ等を用いて上開口３０ａを封止する作業を省略できる。
【００７９】
なお、上述の実施例では、布基礎１００の立上り部１０２に断面円形のボイド孔１０６を形成したが、ボイド孔１０６の断面形状は特に限定されない。ボイド孔１０６は、たとえば、断面矩形や断面馬蹄形（アーチ形）の貫通孔であってもよい。
【００８０】
また、上述の実施例では、布基礎１００に対して鞘管１０を適用した例を示したが、べた基礎１２８に対して鞘管１０を適用することもできる。図１１には、べた基礎１２８に用いられる鞘管１０の一例を示す。
【００８１】
図１１に示すように、この発明のさらに他の実施例の鞘管１０では、鞘管本体３０の横開口３０ｂは予め開放状態にされ、その横鞘管部３２の軸方向長さは、べた基礎１２８の立上り部の厚みと同程度の大きさとされる。その他の部分については、図３に示す鞘管１０と同様であるので、説明は省略する。
【００８２】
図１１に示す鞘管１０を用いてべた基礎１２８を貫通する排水管を施工する方法について、図１２を参照して説明する。
【００８３】
先ず、図１２(Ａ)に示すように、べた基礎１２８を打設するための基礎型枠１２０を形成する。この基礎型枠１２０内には、鉄筋１２２を適宜配置（配筋）しておく。そして、排水管の配管位置に対して、鉄筋１２２の間を通るように鞘管１０を設置する。この際には、たとえば、上開口補強部４２に設けた保持部材取付部４６と基礎型枠１２０の突起部分１２４等とを連結させるように保持部材１１０を取り付けたり、鞘管本体３０の湾曲部３４外面に設けた保持部材取付部４６と鉄筋１２２とを連結するように保持部材１１０を取り付けたりして、鞘管１０を仮固定する。また、鞘管本体３０の横開口３０ｂは、鞘管本体３０内への生コンクリートやゴミ等の入り込みを防止するために、キャップやテープ等の封止部材１２６を用いて封止しておく。
【００８４】
鞘管１０の設置後、図１２(Ｂ)に示すように、基礎型枠１２０内にコンクリート基礎を打設する。コンクリート基礎を打設する際には、表示部４８に表示される上限位置を超えないようにし、べた基礎１２８の上面から上開口補強部４２の全体が突出するようにする。
【００８５】
コンクリートが固化して鞘管１０が埋設固定されると、図１２(Ｃ)に示すように、上開口補強部４２に設けた保持部材取付部４６と基礎型枠１２０の突起部分１２４とを連結させた保持部材１１０を取り外すと共に、基礎型枠１２０を除去する。また、縦鞘管部３６の上流側端部をべた基礎１２８の上面近傍位置において切断することによって、上開口補強部４２を切断除去すると共に、鞘管本体３０の横開口３０ｂに装着した封止部材１２６を取り外す。これにより、べた基礎１２８の屋内側と屋外側とを連通させる貫通路が鞘管本体３０によって形成されるので、この貫通路を利用して排水管を設置する。
【００８６】
図１１に示す実施例においても、図１に示す実施例と同様に、鞘管本体３０の上開口３０ａに対してその周縁を連結させる上開口補強部４２を設けたので、べた基礎１２８打設時の生コンクリート圧による鞘管１０の変形を適切に防止できる。また、上開口補強部４２がキャップの機能も果たすので、べた基礎１２８の打設前にキャップやテープ等の封止部材を用いて上開口３０ａを封止する作業を省略できる。
【００８７】
なお、上述の実施例では、９０°エルボに直管を接着接合することによって内管１２を形成したが、これに限定されない。たとえば、内管１２は、部材を接続するのではなく予め一体成形されるものであってもよいし、９０°エルボに直管をゴム輪接合して形成されるものであってもよい。ただし、専用部品を少なくしてコストを低減するという観点および止水性の観点からは、汎用部材を接着接合して内管１２を形成することが好ましい。
【００８８】
また、上述の実施例では、エルボ部２０と横管部２２とが予め一体化された内管１２を鞘管１０内に挿通したが、これに限定されない。たとえば、埋設固定した鞘管１０内で、エルボ部２０（９０°エルボ）と横管部２２（直管）とを接合するようにしてもよい。
【００８９】
また、内管１２の形状も特に限定されない。たとえば、内管１２は、エルボ部２０が９０°の角度で湾曲するのではなく、たとえば４５°や６０°の角度で湾曲するものであってもよい。さらに、内管１２は、可撓性を有する管であってもよい。
【００９０】
さらに、上述の実施例では、内管１２に対して、屋内側配管１４として縦管を接続しているが、これに限定されない。内管１２には、たとえば、曲管が接続されてもよいし、直接または接続管を介して、合流桝や旋回桝などの桝が接続されてもよい。
【００９１】
さらにまた、上述の実施例では、鞘管１０内に挿通される配管として排水管を例示したが、鞘管１０内に挿通される配管は、給水管やガス管であってもよい。
【００９２】
また、上述の実施例では、鞘管１０の湾曲部３４を比較的緩やかに上向きに湾曲させているが、湾曲部３４は、横鞘管部３２の基端部３８から略垂直方向に立ち上がるように湾曲させてもよい。これによって、縦鞘管部３６を横鞘管部３２側、つまり立上り部１０２の近傍に寄せて配置することが可能となるので、立上り部１０２の屋内側の壁面に沿わせて屋内側配管１４を配管し易くなる。
【００９３】
さらに、上述の実施例では、鞘管１０の上開口３０ａを小判形状（角丸長方形状）に開口させるようにしたが、上開口３０ａは、馬蹄形、楕円形および円形に開口させてもよい。また、鞘管本体３０の上開口３０ａ（縦鞘管部３６）は、必ずしも内管１２を分割等することなくそのまま抜き差し可能な大きさを有する必要はない。つまり、鞘管本体３０は、内管１２のタイプ（一体型、分割型および可撓型など）に合わせて、少なくとも内管１２を挿通可能な内径を有していればよい。
【００９４】
さらにまた、上述の実施例では、鞘管１０の縦鞘管部３６は、略垂直方向に延びるように形成したが、縦鞘管部３６は斜め方向に延びるように形成されても構わない。
【００９５】
たとえば、図１３に示すように、この発明のさらに他の実施例の鞘管１０は、上開口３０ａと横開口３０ｂとを有する鞘管本体３０を備える。この鞘管本体３０は、横方向に延びる横鞘管部３２、湾曲部３４および斜め方向に延びる縦鞘管部３６を含み、全体として大曲がりの４５°エルボ状に形成される。また、鞘管本体３０は、その略全長に亘って断面円形とされる。
【００９６】
また、鞘管本体３０には、上開口３０ａを覆うようにドーム状に形成され、上開口３０ａの周縁を連結させる上開口補強部４２が一体的に設けられる。一方、鞘管本体３０の横開口３０ｂは予め開放状態にされる。また、上開口補強部４２には、リング状の保持部材取付部４６が設けられる。
【００９７】
図１３に示すような鞘管１０は、布基礎１００およびべた基礎１２８のいずれにも適用可能である。たとえば、図１４に示すように、図１３に示す鞘管１０を用いてべた基礎１２８を貫通する排水管を施工する場合には、排水管の配管位置に対して、鉄筋１２２の間を通るように鞘管１０を設置する。この際には、たとえば、上開口補強部４２に設けた保持部材取付部４６と基礎型枠１２０の突起部分１２４等とを連結させるように保持部材１１０を取り付けて、鞘管１０を仮固定する。また、鞘管本体３０の横開口３０ｂは、鞘管本体３０内への生コンクリートやゴミ等の入り込みを防止するために、キャップやテープ等の封止部材１２６を用いて封止しておく。
【００９８】
鞘管１０の設置後、上開口補強部４２がべた基礎１２８の上面から突出するように、基礎型枠１２０内にコンクリート基礎を打設して、鞘管１０を埋設固定する。その後、基礎型枠１２０等を除去し、また、上開口補強部４２を切断除去すると共に、鞘管本体３０の横開口３０ｂに装着した封止部材１２６を取り外す。これにより、べた基礎１２８の屋内側と屋外側とを連通させる貫通路が鞘管本体３０によって形成されるので、この貫通路を利用して排水管を設置する。
【００９９】
図１３に示す実施例においても、図１に示す実施例と同様に、鞘管本体３０の上開口３０ａに対してその周縁を連結させる上開口補強部４２を設けたので、コンクリート打設時の生コンクリート圧による鞘管１０の変形を適切に防止できる。また、上開口補強部４２がキャップの機能も果たすので、キャップやテープ等を用いて上開口３０ａを封止する作業を省略できる。
【０１００】
なお、上で挙げた寸法などの具体的数値は、いずれも単なる一例であり、必要に応じて適宜変更可能である。
【符号の説明】
【０１０１】
１０  …基礎貫通用鞘管
１２  …内管
１４  …屋内側配管
１６  …屋外側配管
３０  …鞘管本体
３０ａ  …上開口
３０ｂ  …横開口
３２  …横鞘管部
３４  …湾曲部
３６  …縦鞘管部
４２  …上開口補強部
４４  …横開口補強部
４６  …保持部材取付部
１００  …布基礎
１０２  …立上り部（立上り基礎）
１０４  …フーチング
１０６  …ボイド孔
１１６  …土間コンクリート
１２８  …べた基礎
【図１】
0006505475.tif 000002
【図２】
0006505475.tif 000003
【図３】
0006505475.tif 000004
【図４】
0006505475.tif 000005
【図５】
0006505475.tif 000006
【図６】
0006505475.tif 000007
【図７】
0006505475.tif 000008
【図８】
0006505475.tif 000009
【図９】
0006505475.tif 000010
【図１０】
0006505475.tif 000011
【図１１】
0006505475.tif 000012
【図１２】
0006505475.tif 000013
【図１３】
0006505475.tif 000014
【図１４】
0006505475.tif 000015